【手続補正書】
【提出日】平成18年11月10日(2006.11.10)
【手続補正１】
【補正対象書類名】明細書
【補正対象項目名】特許請求の範囲
【補正方法】変更
【補正の内容】
【特許請求の範囲】
【請求項１】  茶樹畝を跨いでその両側の畝間を走行する車体本体に、茶樹畝上面に臨むように昇降可能な摘採装置を備えた茶園管理機において、
上記車体本体の後部には、上記摘採装置により摘採された茶葉を収容する昇降可能若しくは定位置に設置可能な収容手段と、該収容手段の下位に設置されて上記摘採装置による茶葉摘採作業以外の用途に用いられる剪枝用若しくは剪定用の刈り取り刃が備えられ、上記収容手段が上昇位置にあるときに上記摘採作業以外に用いられる上記刈り取り刃が稼働状態に設定可能であることを特徴とする茶園管理機。
【請求項２】 上記刈り取り刃の近傍には、刈り取り物を茶畝以外の場所に吹き飛ばす手段が設けられ、該吹き飛ばし手段には、上記車体本体に設けられて上記摘採装置により摘採された茶葉を吹き飛ばすための送風機と連通可能な構成が備えられていることを特徴とする請求項１記載の茶園管理機。
【請求項３】 上記刈り取り刃は、上記摘採装置用として設けられている昇降装置により昇降可能に設けられていることを特徴とする請求項１または２記載の茶園管理機。
【手続補正２】
【補正対象書類名】明細書
【補正対象項目名】０００３
【補正方法】変更
【補正の内容】
【０００３】
【発明が解決しようとする課題】
ところで、上記構成を備えた乗用型あるいは歩行型の茶葉摘採機においては、茶葉の摘採作業だけでなく、他の刈り取り作業の一つである剪枝作業にも使用できることが兼用作業機械として効率を良くする点で好ましい。しかし、例えば、摘採面より３〜５ｃｍ程度の部分を刈り取る作業である軽剪枝作業を茶葉摘採に用いたバリカン刃によって実行しようとすると、摘採時と違って枝を刈り取る関係上、バリカン刃への負荷が大きくなり、結果として、そのバリカン刃では強度不足に陥ってしまい、所望の作業を実行できない場合がある。そこで、従来では、枝を刈り取る際の強度を有する刃を備えた専用の剪枝機を準備する必要がある。しかし、専用の剪枝機においても摘採装置と同様な構造であることからコストが嵩み、簡単に導入することが困難な場合がある。しかも、専用の剪枝機自体も大型なものである関係上、機械の交換が大変であった。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
【課題を解決するための手段】
上記目的を達成するため、請求項１記載の発明は、茶樹畝を跨いでその両側の畝間を走行する車体本体に、茶樹畝上面に臨むように昇降可能な摘採装置を備えた茶園管理機において、
上記車体本体の後部には、上記摘採装置により摘採された茶葉を収容する昇降可能若しくは定位置に設置可能な収容手段と、該収容手段の下位に設置されて上記摘採装置による茶葉摘採作業以外の用途に用いられる剪枝用若しくは剪定用の刈り取り刃が備えられ、上記収容手段が上昇位置にあるときに上記摘採作業以外に用いられる上記刈り取り刃が稼働状態に設定可能であることを特徴としている。
【手続補正８】
【補正対象書類名】明細書
【補正対象項目名】００１２
【補正方法】変更
【補正の内容】
【００１２】
請求項２記載の発明は、上記刈り取り刃の近傍には、刈り取り物を茶畝以外の場所に吹き飛ばす手段が設けられ、該吹き飛ばし手段には、上記車体本体に設けられて上記摘採装置により摘採された茶葉を吹き飛ばすための送風機と連通可能な構成が備えられていることを特徴としている。
【手続補正９】
【補正対象書類名】明細書
【補正対象項目名】００１３
【補正方法】変更
【補正の内容】
【００１３】
請求項３記載の発明は、上記刈り取り刃は、上記摘採装置用として設けられている昇降装置により昇降可能に設けられていることを特徴としている。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
【作用】
請求項１乃至３記載の発明では、車体本体後部に摘採茶葉の収容手段を設けた構成を対象とした場合にその収容手段の下位に摘採作業とは異なる作業を実施する剪枝用あるいは剪定用の刃を設置することにより、同一の車体本体で異なる作業を実行することができる。特に、作業内容によっては刈り取られた屑が茶畝上面に散乱するのを防ぐことができ、しかも、刈り取られた屑が吹き飛ばされることにより茶樹上面から排除できるので、摘採作業の際に屑により摘採刃が欠損するようなことがない。また、刈り取られた屑を排除するために用いられる吹き飛ばし手段が摘採装置に用いられる送風機に連通する構成であるので、特別な構造を新設する必要がなく、異なる作用を実行する際の設備コストを低減できる。
【手続補正１２】
【補正対象書類名】明細書
【補正対象項目名】００１６
【補正方法】変更
【補正の内容】
【００１６】
【実施例】
まず、茶葉管理機の一例である乗用型茶葉摘採機について図面を用いて詳細に説明する。
図１は、茶葉管理機の一例である乗用型茶葉摘採機の正面図、図２は、同乗用型茶葉摘採機の側面図である。
図１，２に示されるように、乗用型茶葉摘採機１は、車体本体２と、走行手段３と、摘採装置４と、送風手段５と、茶葉収容手段６等とを備えて構成されている。以下、各部について説明する。
【手続補正１３】
【補正対象書類名】明細書
【補正対象項目名】００１７
【補正方法】変更
【補正の内容】
【００１７】
図１に示されるように、車体本体２は、車体本体２の構造材となる門型のフレーム２０と、フレーム２０の前側上部に取り付けられた乗車板２２等とを具備している。フレーム２０は、複数の縦フレーム２０Ａが立設されているとともに、縦部材２０Ａ間には横フレームが架け渡されることにより、門型形状に形成されている。
【手続補正１４】
【補正対象書類名】明細書
【補正対象項目名】００２２
【補正方法】変更
【補正の内容】
【００２２】
摘採装置４には、摘採された茶葉を収容するため車体本体２の後部に設けられた茶葉収容手段６に向けて吹き飛ばすための送風手段５が設けられている。図１に示されるように、送風手段５は、送風機５１と、送風管５２と、ノズル５３等とを備えて構成されている。送風機５１は、ほぼ車体中央部に配置され、乗車板２２に立設された支持枠２５によって所定の高さ位置に支持されている。
【手続補正１５】
【補正対象書類名】明細書
【補正対象項目名】００２８
【補正方法】変更
【補正の内容】
【００２８】
上述した摘採装置４は、これに装備されている刈り取り刃の一つである摘採刃となる刈り刃４３が着脱可能に設けられており、作業内容に応じて刈り取り刃を交換できるようになっている。以下、そのための構成を説明する。
図３において、摘採装置４側で刈り刃４３の支持部をなす側板４２に対し、サッシ部材４３Ａの架設方向一方側に位置するコーナ支持片部４３Ａ１が複数のボルト６０を締結されることでコーナー支持片部４３Ａ１に対面する一体化されている。
【手続補正１６】
【補正対象書類名】明細書
【補正対象項目名】００３２
【補正方法】変更
【補正の内容】
【００３２】
以上のような構成であるから、茶葉摘採時に使用された刈り刃４３を軽剪枝作業のための剪枝刃と交換することが可能となっている。
すなわち、少なくとも、サッシ部材４３Ａが摘採装置４の支持部をなす側板４２，４２’から取り外され、これに加えて、中枠４８に対してもサッシ部材４３Ａが取り外される。この場合には、刈り刃４３を支持しているサッシ部材４３Ａと側板４２，４２’とを締結しているボルト６０，６２’（図３，図５参照）がその締結をそれぞれ解除され、さらに、サッシ部材４３Ａの中央部と中枠４８とを締結しているボルト６３（図４参照）が締結を解除され、加えて、摺動起動部４５側のケーシング４５Ｄと油圧モータ４４側のケーシング４４Ｂのフランジ部とを締結しているボルト６２が締結を解除されることにより、サッシ部材４３Ａは、摘採装置４側から取り外される。
図７は、摘採装置４側から取り外されたサッシ部材４３Ａを示しており、図７（Ａ）において、サッシ部材４３Ａが取り外される際には、上述したように、架設方向一方に位置する側板４２’に対してボルト６０が取り外され、架設方向他方に位置する側板４２およびケーシング４４Ｂに対してボルト６２，６２’が取り外され、さらに、架設方向中央に位置する中枠４８に対してボルト６３が取り外されることにより摘採装置４から取り外される。
図７（Ｂ）に示すように、サッシ部材４３Ａに対してコーナ支持片部４３Ａ１および摺動起動部４５を分割することができ、組立時には、サッシ部材４３Ａの架設方向両側にコーナ支持片部４３Ａ１，摺動起動部４５が図示しない締結部材により一体化されるようになっている。
図８は、摘採装置４からサッシ部材４３Ａが取り外される状態を示しており、上の図面において摘採装置４に一体化されていたサッシ部材４３Ａおよびこれに支持されている刈り刃４３は、下の図に示すように摘採装置４から分離される。
【手続補正１７】
【補正対象書類名】明細書
【補正対象項目名】００３４
【補正方法】変更
【補正の内容】
【００３４】
次に、本発明の実施例に係る乗用型茶葉摘採機について図９を用いて説明する。
図９は、本発明の実施例に係る乗用型茶葉摘採機の側面図であり、同図に示されるように、乗用型茶葉摘採機１は、車体本体２の後部に設けられている茶葉収容手段６と同じ側の下位に深刈り用の剪枝刃１２３を設けたことを特徴としている。なお図９における説明において、図１乃至図８に示したものと同じ部材については同符号により示してある。
詳述すると、図９において車体本体２の後部に設けられている茶葉収容手段６は、ノズル５３によって吹き飛ばされた摘採茶葉を搬送する搬送ダクト７１に連通可能な茶葉分離部を備えたコンテナ１１０を主要部として備えている。
コンテナ１１０は、後述する機構により昇降できるようになっている。
すなわち、摘採装置４の昇降駆動源として用いられる昇降手段４６の昇降動作に連動する昇降体１０１，１０１’には、コンテナ１１０の側部に位置する底枠１１１が固定され、この底枠１１１が昇降体１０１、１０１’の昇降動作に応じて昇降できるようになっている。
上記底枠１１１の上面には、コンテナ１１０の側部に対向して位置する側枠１１２，１１２’の下端がそれぞれ固定されており、各側枠１１２，１１２’の上面には上枠１１３が固定されている。
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】変更
【補正の内容】
【００４４】
【発明の効果】
請求項１乃至３記載の発明によれば、車体本体後部に摘採茶葉の収容手段を設けた構成を対象とした場合にその収容手段の下位に摘採作業とは異なる作業を実施する刈り取り刃を設置することにより、同一の車体本体で異なる作業を実行することができる。特に、作業内容によっては刈り取られた屑が茶畝上面に散乱するのを防ぐことができ、しかも、刈り取られた屑が吹き飛ばされることにより茶樹上面から確実に排除することができ摘採の際に屑によって摘採刃が損傷を受けることをなくすことができる。また、刈り取られた屑を排除するために用いられる吹き飛ばし手段が摘採装置に摘採装置に用いられる送風機に連通する構成であるので、特別な構造を新設する必要がなく、異なる作用を実行する際の設備コストを低減できる。
【手続補正２０】
【補正対象書類名】明細書
【補正対象項目名】図面の簡単な説明
【補正方法】変更
【補正の内容】
【図面の簡単な説明】
【図１】茶葉管理機の一例である乗用型茶葉摘採機の正面図である。
【図２】図１に示した乗用型茶葉摘採機の側面図である。
【図３】図１に示した乗用型茶葉摘採機に用いられる摘採装置と送風手段との関係を説明するための要部側面図である。
【図４】図１に示した乗用型茶葉摘採機に用いられる摘採装置と送風手段との関係を説明するための要部の他の側面図である。
【図５】図１に示した乗用型茶葉摘採機に用いられる摘採装置と送風手段との中央における関係を説明するための要部側面図である。
【図６】図３に示した摘採装置に用いられる駆動構造を説明するための断面図である。
【図７】図１に示した茶園管理機の作用を説明するための図であり、（Ａ）は摘採装置における摘採刃の装備時を、（Ｂ）は摘採刃の取り外し時をそれぞれ示している。
【図８】図１に示した茶園管理機の作用として、摘採装置から刃を取り外す状態を説明するための図である。
【図９】本発明の実施例に係る乗用型茶葉摘採機の側面図である。
【符号の説明】
１  乗用型茶葉摘採機（茶園管理機）
２  車体本体
２０  門型フレーム
２２  乗車板
３  走行装置
４  摘採装置
４２，４２’  側板（サッシ部材４３Ａの支持部）
４３  刈り取り刃（摘採刃）
４３Ａ  サッシ部材
４４  油圧モータ
４４Ａ  出力軸
４４Ｂ  ケーシング
４５  減速機構
４５Ａ  入力軸
４５Ｄ  ケーシング
４５Ｄ１  ブラケット
４８  中枠
５  送風手段
５１  送風機
５２、５２Ａ、５２Ｂ  送風管
６  茶葉収容手段
６０、６０’、６１、６２、６３  ボルト
１２０  剪定装置
１２１  ステー部材
１２２  油圧モータ
１２３  剪枝刃
１２４  安定ガイド部材
１２５  送風ダクト
【手続補正２１】
【補正対象書類名】図面
【補正対象項目名】図１
【補正方法】変更
【補正の内容】
【図１】
2001169637.tif 000001